(57)【要約】【課題】  光電変換素子を冷却する際の低消費電力化及び低ＥＭＩ化を実現する。【解決手段】  光源を移動させるためのシャフトを駆動源からの駆動力にて回転駆動し、前記シャフトに巻回されてなるワイヤループにより、光源を走査移動させ、原稿からの反射光を光電変換素子にて読取る画像読取装置において、前記シャフトの回転駆動力を前記シャフトに対して直角方向の回転駆動力に変換する変換手段と、前記シャフトに対して直角方向の回転駆動力にて送風して前記光電変換素子を冷却する冷却手段と、を備えた。【選択図】  図１
2006126334.tif 000002
【特許請求の範囲】
【請求項１】
光源を移動させるためのシャフトを駆動源からの駆動力にて回転駆動し、前記シャフトに巻回されてなるワイヤループにより、光源を走査移動させ、原稿からの反射光を光電変換素子にて読取る画像読取装置において、
前記シャフトの回転駆動力を前記シャフトに対して直角方向の回転駆動力に変換する変換手段と、
前記シャフトに対して直角方向の回転駆動力にて送風して前記光電変換素子を冷却する冷却手段と、
を備えたことを特徴とする画像読取装置。
【請求項２】
前記冷却手段は前記光源の走査移動の方向に応じて送風方向を変える請求項１記載の画像読取装置。
【発明の詳細な説明】
【技術分野】
【０００１】
本発明は、画像読取装置に関し、特に光電変換素子を冷却する画像読取装置に関する。
【背景技術】
【０００２】
画像読取装置のプラテンガラス下方には、原稿と平行に走査され、原稿を照射する光源ユニットを配設している。さらに、原稿からの反射光を電気信号に変換するＣＣＤを配設している。
【０００３】
ＣＣＤは、長時間使用すると発熱するので、ＣＣＤを高速で安定して作動させるためには冷却が必要である。そこで、従来から、電動ファンの送風によりＣＣＤを冷却することを行っている（特許文献１、２参照）。
【特許文献１】特開２００２−２７１６７号公報
【特許文献２】特開平０６−５４０９９号公報
【発明の開示】
【発明が解決しようとする課題】
【０００４】
しかしながら、従来の電動ファンの送風による冷却方法は、その駆動源を専用の電力に依存しているため、電力消費が大きい上、放射ノイズ発生の要因ともなり、低消費電力化及び低ＥＭＩ化（ＥＭＩ:Electro Magnetic Interference）の要請の強い事務機器においては、大きなマイナス要因となっていた。
【０００５】
そこで、本発明は、光電変換素子を冷却する際の低消費電力化及び低ＥＭＩ化を実現できる画像読取装置を提供することを目的とする。
【課題を解決するための手段】
【０００６】
本発明は、光源を移動させるためのシャフトを駆動源からの駆動力にて回転駆動し、前記シャフトに巻回されてなるワイヤループにより、光源を走査移動させ、原稿からの反射光を光電変換素子にて読取る画像読取装置を前提としている。
【０００７】
本発明は、前記シャフトの回転駆動力を前記シャフトに対して直角方向の回転駆動力に変換する変換手段と、前記シャフトに対して直角方向の回転駆動力にて送風して前記光電変換素子を冷却する冷却手段とを備えた構成としている。
【０００８】
このようにすれば、光源を移動させるためのシャフトの回転駆動力の余力を利用して光電変換素子を冷却するので、光電変換素子を冷却する際の低消費電力化及び低ＥＭＩ化を実現できる。
【０００９】
前記冷却手段は前記光源の走査移動の方向に応じて送風方向を変える構成としてもよい。
【００１０】
このようにすれば、光電変換素子を局部的に冷却したり、放熱させながら全体的に冷却したりでき、光電変換素子を効果的に冷却することができる。
【発明の効果】
【００１１】
光源を移動させるためのシャフトの回転駆動力の余力を利用して光電変換素子を冷却するので、光電変換素子を冷却する際の低消費電力化及び低ＥＭＩ化を実現できる。
【発明を実施するための最良の形態】
【００１２】
以下、本発明の実施の形態を図面にしたがって詳細に説明する。
【００１３】
図１は本発明の実施の形態における画像読取装置の内部構造を示す概略斜視図であり、図２は本発明の実施の形態における画像読取装置の内部構造を示す概略断面図である。
【００１４】
また、図３は本発明の実施の形態における画像読取装置の内部構造を示す概略上面図である。
【００１５】
図１に示すように、本発明にかかる画像読取装置１は、上面に原稿が載置される原稿台３を備え、例えば、直方体状の機枠２を有している。
【００１６】
機枠２内には、光源ユニット４とミラーユニット５が、例えば、原稿台３に沿って機枠２の長辺方向（以下、副走査方向という。）に往復移動が可能に、短辺方向（以下、主走査方向という。）の幅全体わたって配設されている。
【００１７】
図２（ａ）に示すように、光源ユニット４、ミラーユニット５には、当該光源ユニット４、ミラーユニット５を駆動するための駆動ワイヤ６が、主走査方向の両端部にそれぞれ配設されている。
【００１８】
この駆動ワイヤ６は、一端部が機枠２の底部の適所に配設された第１の固定部７に固定され、その他端が機枠２の復動側側壁に配設された第２の固定部８に張力付与用のバネ９を介して固定されている。
【００１９】
また、上記駆動ワイヤ６は、第１の固定部７側から順次、ミラーユニット５の主走査方向の端部に回転自在に配設された２連プーリ１０の内側プーリ、機枠２の往動側側壁に回転自在に配設された固定プーリ１１、主走査方向にわたって伸び、駆動源であるモータからの駆動力が伝達されるシャフト１２、機枠２の復動側側壁に回転自在に配設された固定プーリ１３、ミラーユニット５に配設された２連プーリ１０の外側プーリに巻回されて、第２の固定部８のバネ９に連結され、ワイヤループを構成している。
【００２０】
上記光源ユニット４は、上記２連プーリ１０の内側プーリと固定プーリ１１との間の駆動ワイヤ６に固定されている。
【００２１】
図２（ｂ）に示すように、上記光源ユニット４には、原稿台３に対し光を出射する線状光源１４と、この線状光源１４から出射された後、原稿台３上に載置された原稿によって反射された光を、原稿台３に平行かつ光源ユニットの復動側に配設されたミラーユニット５の方向に反射する第１のミラー１５とが主走査方向の幅全体にわたって配設されている。
【００２２】
また、上記ミラーユニット５には、上記光源ユニット４の第１のミラー１５により反射された光を、下方に９０度反射させる第２のミラー１６と、第２のミラー１６により反射された光を更に９０度反射させる第３のミラー１７とが主走査方向の幅全体にわたって配設されている。
【００２３】
すなわち、第１のミラー１５に反射された光は、第２のミラー１６、第３のミラー１７によって光源ユニット４、ミラーユニット５の往動方向に反射されることになる。
【００２４】
上記ミラーユニット５の第３のミラー１７により反射された光は、当該光の進行方向に配設されたレンズ１８により、機枠２内の主走査方向にわたって配設された基板１９に線状に搭載されたＣＣＤ等の光電変換素子２０上に結像される。そして、当該光電変換素子２０によって受光された光は電気信号に変換され、画像データが読取られる。
【００２５】
上記のような光源ユニット４、ミラーユニット５は上記シャフト１２の回転駆動力により、光電変換素子２０から原稿台３上の原稿までの光路長を一定に保ちつつ走査移動されるように構成されている。
【００２６】
さて、画像データの読取りに際して、ＣＣＤ等の光電変換素子は、長時間使用すると発熱するので、ＣＣＤを高速で安定して作動させるためには冷却が必要であり、本発明では、機枠２内の基板１９の背後の中央部に配設された冷却ファン２１の送風により、光電変換素子２０の冷却を行う構成としている。
【００２７】
図３に示すように、上記冷却ファン２１は機枠２の底部に固定された箱体からなり、当該箱体には羽根体２２が回転自在に固定されている。
【００２８】
上記羽根体２２は上記シャフト１２に対して直角方向に配設された回転駆動軸２３の先端部に固定され、さらに、上記回転駆動軸２３の後端部には、ピニオンが形成されたウォームホイール２４が固定されている。
【００２９】
上記ウォームホイール２４は、上記光源ユニット４、ミラーユニット５を走査移動するべく回転駆動する上記シャフト１２の中央部に形成したウォームギヤ２５に噛み合う構成としている。
【００３０】
このウォームギヤ２５とウォームホイール２４の噛み合いにより、上記シャフト１８の回転駆動力は上記回転駆動軸２３の回転駆動力に変換され、この回転駆動軸２３の回転駆動力により、上記羽根体２２が回転して送風する。
【００３１】
上記冷却ファン２１の送風方向は、光源ユニット４の走査移動により、当該光源ユニット４と光電変換素子２０とが接近するときには、光電変換素子２０に対して吹き付ける方向に送風し、光源ユニット４と光電変換素子２０が離間するときには、光電変換素子２０に対して吸い出す方向に送風する構成としてもよい。
【００３２】
このようにすれば、光源を移動させるためのシャフトの回転駆動力の余力を利用して光電変換素子を冷却するので、光電変換素子を冷却する際の低消費電力化及び低ＥＭＩ化を実現できる。
【００３３】
さらに、光電変換素子を局部的に冷却したり、放熱させながら全体的に冷却したりでき、光電変換素子を効果的に冷却することができる。
【００３４】
なお、上記シャフトの回転駆動力を当該シャフト１２に対して直角方向の回転駆動力に変換する手段は、ウォームギヤに限られるものではなく、例えば、傘歯車を用いて変換する構成としてもよいのは勿論である。
【００３５】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００３６】
光源を移動させるためのシャフトの回転駆動力の余力を利用して光電変換素子を冷却するので、光電変換素子を冷却する際の低消費電力化及び低ＥＭＩ化を実現でき、有用である。
【図面の簡単な説明】
【００３７】
【図１】本発明の実施の形態における画像読取装置の内部構造を示す概略斜視図である。
【図２】本発明の実施の形態における画像読取装置の内部構造を示す概略断面図である。
【図３】本発明の実施の形態における画像読取装置の内部構造を示す概略上面図である。
【符号の説明】
【００３８】
１  画像読取装置
４  光源ユニット
６  駆動ワイヤ
１２  シャフト
２０  光電変換素子
２１  冷却ファン
２４  ウォームホイール
２５  ウォームギア
【図１】
2006126334.tif 000003
【図２】
2006126334.tif 000004
【図３】
2006126334.tif 000005